(57)【特許請求の範囲】
【請求項１】
線材を屈曲させて形成した環状体を有し、前記線材の端部のフック部を介して仕掛けの装着部を挿通係合できる釣用スナップであって、
釣糸等への装着時に竿先側となる止着部と、該止着部に連続した中間部と、該中間部に連続して前記止着部より遠ざかる側に突出するように設けられた装着部とを具備し、
前記止着部と中間部との境界部付近の係止部に、該釣用スナップの弾力性によって前記フック部を係脱することができ、
前記フック部を前記係止部に係止させた状態において、前記中間部と装着部との境界部の該釣用スナップの広がり方向である左右方向空間幅は、該境界部付近の中間部側の左右方向空間幅の最小幅であって、該境界部付近の装着部側の左右方向空間幅と同じ幅か最小幅であって、該境界部は前記環状体の内方に向かって突出した曲部或いは角部となっている
ことを特徴とする釣用スナップ。
【請求項２】
前記フック部を前記係止部に係止させた状態において、前記止着部と前記中間部の空間を分割するように前記係止部付近が閉じられている請求項１記載の釣用スナップ。
【請求項３】
前記フック部を前記係止部に係止させた状態において、前記止着部と中間部との境界部の左右方向幅が、該境界部付近の中間部側左右方向幅の内の最小であって、左右方向幅を視認する方向から見た線材の形成する中間部の形状がひし形又は樽形である請求項１又は２記載の釣用スナップ。
【発明の詳細な説明】
【技術分野】
【０００１】
本発明は、一端部に釣糸を止着でき、他端側に仕掛けの装着用リング部を挿通係合させることのできる釣用スナップに関する。
【背景技術】
【０００２】
従来からハリス、錘、ルアー、エギ等の仕掛けを装着させるために、主に金属線材を屈曲させて形成した釣用スナップが用いられている。これらの釣用スナップの多くは、上側（穂先側）に釣糸等の止着部を有し、下側に仕掛けの装着用リング部を遊嵌状に挿通装着できる環状構造を成している。この仕掛けを装着させるために、環状を形成している線材の一端部をフック状に形成しており、このフック部を係止部に係脱させ得るように構成している。こうした釣用スナップの例が下記文献に開示されている。
【特許文献１】実開平１−１６３９７１号公報
【特許文献２】実公平４−４９９０５号公報
【非特許文献１】２００７  Ｆｉｓｈｉｎｇ  Ｈｏｏｋｓ  Ｃａｔａｌｏｇ（２００７年発行  株式会社カツイチ）の３７頁
【発明の開示】
【発明が解決しようとする課題】
【０００３】
上記特許文献１開示の釣用スナップ構造では、フック部を釣用スナップの長手方向の中間位置又はそれよりも下方位置に係止させる構造であって、そのフック部位置を境としてその上側領域に釣糸を止着させ、下側領域に仕掛けの装着用リング部を遊嵌状に挿通装着させる構造であり、仕掛けの装着用リング部は係止されたフック部の近くに至るように移動することもあり得る構造である。このため、釣りの最中における仕掛けに作用する種々の力によって、線材で形成されている釣用スナップが弾性変形して不用意にフック部が外れる不具合が発生し易い。特許文献２でも同様である。なお、特許文献２に開示の第２図、第３図、第４図に開示の装着曲面を設けた場合も、仕掛けの装着用リング部は、釣りの最中にフック部の近くまで移動し得る。非特許文献１に開示の釣用スナップも特許文献１，２と同様である。
依って解決しようとする課題は、不用意にフック部が外れる不具合を防止した釣用スナップの提供である。
【課題を解決するための手段】
【０００４】
第１の発明では、線材を屈曲させて形成した環状体を有し、前記線材の端部のフック部を介して仕掛けの装着部を挿通係合できる釣用スナップであって、釣糸等への装着時に竿先側となる止着部と、該止着部に連続した中間部と、該中間部に連続して前記止着部より遠ざかる側に突出するように設けられた装着部とを具備し、前記止着部と中間部との境界部付近の係止部に、該釣用スナップの弾力性によって前記フック部を係脱することができ、前記フック部を前記係止部に係止させた状態において、前記中間部と装着部との境界部の該釣用スナップの広がり方向である左右方向空間幅は、該境界部付近の中間部側の左右方向空間幅の最小幅であって、該境界部付近の装着部側の左右方向空間幅と同じ幅か最小幅であって、該境界部は前記環状体の内方に向かって突出した曲部或いは角部となっていることを特徴とする釣用スナップを提供する。
本願釣用スナップは、線材によって形成された環状体を有するのであって、環状体のみで形成されているとは限らない。該環状体の他に、止着部付近に（例えば、特許文献１の第８図に示されているような）金属製板状部材を設けていてもよい。止着部へ止着させるものは、特許文献１，２に示されているように、釣糸以外にも、種々の釣り部品のリング部等がある。
【０００５】
第２の発明では、第１発明の前記フック部を前記係止部に係止させた状態において、前記止着部と前記中間部の空間を分割するように前記係止部付近が閉じられているよう構成する。
第３の発明では、第１又は第２の発明の前記フック部を前記係止部に係止させた状態において、前記止着部と中間部との境界部の左右方向幅が、該境界部付近の中間部側左右方向幅の内の最小であって、左右方向幅を視認する方向から見た線材の形成する中間部の形状がひし形又は樽形であるよう構成する。
【発明の効果】
【０００６】
第１の発明による釣用スナップは、釣糸に装着した状態で言えば、上端側の止着部と、その下の中間部と、更にその下である（下端側の）装着部とを具備しており、該装着部と中間部との境界部がその付近で（装着部側の幅と同じ場合を含めて）最も絞られた部位であるため、釣り時には仕掛けの装着用リング部はこの装着部から中間部側への移動が防止され、実質的に該装着部の領域に留まる。即ち、釣り時には、仕掛けの（装着用リング部の）位置は中間部が介在するためフック部と離隔している。従って、仕掛けの作用力による釣用スナップに対する弾性変形は、装着部とその近くに及ぶが、中間部を隔てて離隔しているフック部付近には及び難い。従って、不用意にフック部の外れることが防止される。
【０００７】
第２の発明では、止着部と中間部との境界部が閉じられているため、止着部形状が安定し、フック部に対する係止部側が弾性変形し難く、それだけフック部の不用意な外れが防止される。
【０００８】
第３の発明では、中間部がひし形又は樽型であるため、外部から２本の指で中間部の最も膨らんだ部分を摘むことでフック部を外し易く、仕掛けの装着や取り外しの作業が容易になる。
【発明を実施するための最良の形態】
【０００９】
以下、本発明につき図面を用いて詳細に説明する。図１は本発明に係る釣用スナップ（以下、スナップ）２０の使用方法を例示したものであり、スナップ２０の竿先側端部には釣糸１０を止着しており、他端部側には仕掛けのルアーの一種であるエギ３０の装着用リング部３０Ｒを遊嵌状に挿通係合させている。なお、後述の図２も参照すると、仮に、エギが中間部Ｚ２側に係合して２点鎖線３０’で示す位置に位置していても、釣竿によって釣糸を引く操作で生ずる水の抵抗力により、直ぐに水抵抗力の向かう方向（後方）にある前記他端部側に移動し、境界部Ｂ２３を通って装着部Ｚ３に係合してこの装着部で係合位置が安定する。この移動は強制的な（水抵抗）力の作用する方向であり、本願スナップ構造はこの移動を阻害しない。即ち、移動方向に対する逆方向（前方）に折れ曲がった部位（止着部Ｚ１側に折り返された部位）を有しない。
【００１０】
図２はスナップ２０の拡大正面図であり、金属製線材２２を屈曲させて形成した環状体を有しており、このスナップは釣糸側から順に、止着部Ｚ１、中間部Ｚ２、装着部Ｚ３を具備している。図３はフック部２０Ｆを係止部２０Ｋから外した状態の図である。この例の環状体の形状は、Ｕ字状の止着部Ｚ１と、菱形の（両端部を除いた形状の）中間部Ｚ２と、Ｕ字状の装着部Ｚ３とが順に連結された形状である。従って、止着部と中間部との境界部Ｂ１２と、中間部と装着部との境界部Ｂ２３は、夫々、絞られている。
【００１１】
止着部Ｚ１のＵ字の弧状部Ｚ１Ｂを除く平行部を成す一辺部分Ｚ１Ａ’と他辺部分Ｚ１Ａとは、境界部Ｂ１２において連結され、Ｕ字の開口部が線材２２の一端部側辺部分Ｚ１２によって閉じられている。また、この辺部分Ｚ１２と止着部Ｚ１のＵ字の平行部の一辺部分Ｚ１Ａ’との連結部にフック部２０Ｆの係止する係止部２０Ｋを形成している。更には、前記辺部分Ｚ１２は、図２に示すように係止部２０Ｋ側よりも、Ｕ字の平行部の他辺部分Ｚ１Ａ側が図２において高い位置になるように傾斜している。これにより、フック部２０Ｆが外れる方向に中間部Ｚ２の辺部分Ｚ２Ａ’や辺部分Ｚ２Ｂ’が幾分弾性変形しても、フック部が不用意には外れ難くなっている。また、止着部Ｚ１はＵ字の開口部が閉じられた形状となっているため弾性変形し難く、その分、フック部２０Ｆと係止部２０Ｋとの係止が外れ難い。
【００１２】
中間部Ｚ２は４つの辺部分Ｚ２Ａ，Ｚ２Ｂ，Ｚ２Ｂ’，Ｚ２Ａ’で菱形に形成されており、図の上下方向中間部が最も外側に膨らんでおり、その上下部分は漸次各方向に縮径している。
装着部Ｚ３もこの例ではＵ字形状を成しており、Ｕ字の弧状部Ｚ３Ｂを除く平行部の辺部分Ｚ３Ａ，Ｚ３Ａ’同士は平行であり、間隔が一定である。中間部Ｚ２の辺部分Ｚ２Ｂ，Ｚ２Ｂ’との間隔は上に向かって漸次拡大する形状である。このため、辺部分Ｚ３Ａと辺部分Ｚ２Ｂとの連結部Ｚ２３Ｐ、或いは、辺部分Ｚ３Ａ’と辺部分Ｚ２Ｂ’との連結部Ｚ２３Ｐは線材２２を折曲げて環状体の内方に向かって突出させた曲部或いは角部であるため、図１に示すような釣り状態において、一旦、止着部Ｚ３に入ったエギ３０の装着用リング部３０Ｒは、連結部Ｚ２３Ｐにおいて中間部Ｚ２方向への移動が実質的に阻止され、装着部Ｚ３の領域に留まる。なお、左右両側の連結部Ｚ２３Ｐは対向位置に設けられており、装着部Ｚ３はスナップ２０の左右幅の中央から、図２で言って下方に突出するように形成されている。
【００１３】
このため、釣りにおける仕掛けに作用する種々の力によって線材２２で形成された環状体に及ぼす変形の影響は、装着部Ｚ３の近くが大きく、中間部Ｚ２を介して離隔したフック部２０Ｆと係止部２０Ｋとの係止部分には及び難く、係止が外れ難い。
【００１４】
図４は本発明に係るスナップの他の形態を示す拡大正面図である。図２の形態と異なるのは、装着部Ｚ３の形状がその境界部Ｂ２３に近づく程辺部分Ｚ３Ａ，Ｚ３Ａ’同士の間隔が狭まる変形Ｕ字状とでも称すべき形状であることである。その他の形状は同様であり、この例の場合は、図２の例よりも、辺部分Ｚ３Ａと辺部分Ｚ２Ｂ、或いは辺部分Ｚ３Ａ’と辺部分Ｚ２Ｂ’の成す環状体内方への突出角度が大きく、止着部Ｚ３に入ったエギ３０の装着用リング部３０Ｒは、境界部Ｚ２３Ｐにおいて中間部Ｚ２方向への移動がより効果的に阻止され、装着部Ｚ３の領域に留まる。
【００１５】
以上は、中間部Ｚ２が菱形の例であるが、この他、中間部は樽形でもよく、また、境界部Ｂ２３の付近で止着部Ｚ１方向に辺部分Ｚ２Ｂ，Ｚ２Ｂ’同士が漸次離隔するように拡径した部分を有し、その先領域が平行辺部分で形成されていてもよい。これらの中間部Ｚ２を摘めば、フック部と係止部との係止を外すことができる。
また、以上は、止着部Ｚ１も線材２２のみで形成したものであるが、止着部付近に図２に２点鎖線２４で示すような金属製板部材（特許文献１の第８図と同様な部材）を配設していてもよい。
【産業上の利用可能性】
【００１６】
本発明は釣用スナップに利用できる。
【図面の簡単な説明】
【００１７】
【図１】図１は本発明に係るスナップの使用方法を例示した図である。
【図２】図２はスナップの拡大正面図である。
【図３】図３は図２とは異なる状態の拡大正面図である。
【図４】図４は本発明に係るスナップの他の形態を示す拡大正面図である。
【符号の説明】
【００１８】
１０                  釣糸
２０                  スナップ
２０Ｆ                フック部
２０Ｋ                係止部
２２                  線材
３０                  エギ（ルアー）
Ｂ１２，Ｂ２３        境界部
Ｚ１                  止着部
Ｚ２                  中間部
Ｚ３                  装着部
【図１】
0004771429.tif 000002
【図２】
0004771429.tif 000003
【図３】
0004771429.tif 000004
【図４】
0004771429.tif 000005